(57)【要約】      （修正有）【課題】ＷｉＭＡＸのＭＣＢＣＳ（Multi Cast Broad Cast Service）において基地局を指定してコンテンツを配信するゾーンを決定していたため、基地局単位でのゾーンの設定しかできないため、ゾーンの設定において柔軟性に欠けるという問題を解決する。【解決手段】コンテンツの配信先を管理するＡＳＮ−ＧＷサーバは、ＢＳＩＤ（Base Station IDentifier）リストを保持している。ＢＳＩＤリストは、コンテンツを配信するゾーン（領域）を定め、その領域に属する基地局を対応付けた情報である。ゾーンを指定することで、ゾーンに含まれる基地局にコンテンツが配信されるが、当該ＢＳＩＤリストにレピータの情報も含ませる。これにより、レピータと同期を確立して通信を実行している無線端末にもＢＣＭＣＳによるコンテンツが配信される。【選択図】図１
2010056935.tif 000002
【特許請求の範囲】
【請求項１】
管理サーバと、複数の基地局と、複数のレピータと、無線端末とを含んで構成される通信システムにおけるコンテンツの配信先を管理するための管理サーバであって、
前記基地局各々は、送信されてきたコンテンツデータを自基地局が管理するレピータ及び、送信されてきたコンテンツデータが自基地局宛てであった場合に自基地局が管理する無線端末に送信するものであり、
前記レピータ各々は、送信されてきたコンテンツデータを自機宛てであった場合に、自機が管理する無線端末に送信するものであり、
前記管理サーバは、
コンテンツデータを配信する際に参照されるものであって、コンテンツが配信される領域を定めるゾーン毎に、基地局及びレピータを対応付けた配信リストを記憶する記憶手段を備える
ことを特徴とする管理サーバ。
【請求項２】
前記管理サーバは、更に、
コンテンツを記憶するコンテンツ記憶手段と、
前記配信リストを参照して、当該コンテンツが配信されるゾーンに対応する各基地局及び各レピータに配信する配信手段とを備える
ことを特徴とする請求項１記載の管理サーバ。
【請求項３】
前記レピータは移動に伴い通信先の基地局を変更するハンドオーバーを実行するものであり、
前記管理サーバは、更に、
前記基地局からレピータがハンドオーバーを実行したことを示す実行情報を受け付ける受付手段と、
前記実行情報で示されるレピータがハンドオーバーした先の基地局と同じゾーンに当該レピータを属させ、前のグループから削除するように前記配信リストを更新する更新手段とを備える
ことを特徴とする請求項１記載の管理サーバ。
【発明の詳細な説明】
【技術分野】
【０００１】
本発明は、基地局とレピータにコンテンツを配信するための管理を実行する管理サーバに関し、特に、レピータにおけるコンテンツの配信に関する。
【背景技術】
【０００２】
ＷｉＭＡＸには、ＭＣＢＣＳ（Multi Cast Broad Cast Service）というサービスがある。
図１３は、ＷｉＭＡＸにおけるＭＣＢＣＳについて説明するための通信システムのシステム構成を示したシステム図である。ＭＣＢＣＳとは、予め定められたゾーンに対して情報を発信するサービスであり、当該ゾーンは、ゾーン内に設置されている１以上の基地局と対応付けられている。
【０００３】
図１３に示すように、通信システムは、ＡＳＮ−ＧＷ（Access Service Network - Gate Way）サーバ４００と、基地局（ＢＳ（Base Station））１０１〜１０７と、レピータ２０１〜２０４と、無線端末３０１〜３０３とを含んで構成される。なお、基地局、レピータ、無線端末のここに示した台数は一例であり、この数に限るものではない。
各基地局１０１〜１０７は、ネットワークを介して互いに接続されている。
【０００４】
レピータ２０１は、基地局１０２と同期を確立し通信している。レピータ２０２は、基地局１０３と同期を確立し通信している。レピータ２０３は、基地局１０４と同期を確立し通信している。レピータ２０４は、基地局１０５と同期を確立し通信している。
無線端末３０１は、基地局１０３と同期を確立し通信している。無線端末３０２は、レピータ２０２と同期を確立し通信している。無線端末３０３は、レピータ２０４と同期を確立し通信している。
【０００５】
ＡＳＮ−ＧＷサーバ４００は、ＢＳＩＤ（Base Station IDentifier）リストを保持し、当該ＢＳＩＤリストで各ゾーンに分類される基地局それぞれに、各ゾーン宛てにオペレータにより指定されるコンテンツを配信する。
図１に示したシステム図では、ＢＳ１０１〜１０３が属するゾーンは、Ｚｏｎｅ００１であり、ＢＳ１０４〜１０７が属するゾーンは、Ｚｏｎｅ００２でる。例えば、Ｚｏｎｅ００１には、コンテンツＡが、Ｚｏｎｅ００２には、コンテンツＢが配信される。
【０００６】
情報を配信するＡＳＮ−ＧＷサーバ４００に記憶されているＢＳＩＤリストにより、ゾーンが分類され、各ゾーンには異なった情報を配信することを実現できる。
非特許文献１や、非特許文献２に、ＭＣＢＣＳについての記載がある。
【非特許文献１】服部  武／藤岡  雅宜  編著、インプレス標準教科書シリーズ  改訂版  ワイヤレス・ブロードバンド教科書  高速ＩＰワイヤレス編、日本国、株式会社インプレスＲ＆Ｄ  発行
【非特許文献２】庄納  崇  編著、インプレス標準教科書シリーズ  ＷｉＭＡＸ教科書、日本国、株式会社インプレスＲ＆Ｄ  発行
【発明の開示】
【発明が解決しようとする課題】
【０００７】
ところで、従来では無線基地局単位でしかゾーンを特定できなかったため、より細かなゾーンの特定をして、無線端末にＭＣＢＣＳによる情報が配信できなかったという問題がある。
そこで、本発明は上記問題に鑑みてなされたものであり、ＭＣＢＣＳによる情報を配信する際により細かくゾーンが設定できるようコンテンツの配信先を管理する管理サーバを提供することを目的とする。
【課題を解決するための手段】
【０００８】
上記課題を解決するため、本発明は、管理サーバと、複数の基地局と、複数のレピータと、無線端末とを含んで構成される通信システムにおけるコンテンツの配信先を管理するための管理サーバであって、前記基地局各々は、送信されてきたコンテンツデータを自基地局が管理するレピータ及び、送信されてきたコンテンツデータが自基地局宛てであった場合に自基地局が管理する無線端末に送信するものであり、前記レピータ各々は、送信されてきたコンテンツデータを自機宛てであった場合に、自機が管理する無線端末に送信するものであり、前記管理サーバは、コンテンツデータを配信する際に参照されるものであって、コンテンツが配信される領域を定めるゾーン毎に、基地局及びレピータを対応付けた配信リストを記憶する記憶手段をを備えることを特徴としている。
【発明の効果】
【０００９】
上述のような構成によって、管理サーバは、レピータの情報を含む配信リストを保持しているがゆえに、当該配信リストが、例えばコンテンツを配信するコンテンツ配信サーバに参照されることにより、基地局単位でなく、より細かく基地局とレピータの単位でコンテンツを配信することができるようになる。
【発明を実施するための最良の形態】
【００１０】
以下、本発明の管理サーバの一実施形態であるＡＳＮ−ＧＷサーバについて図面を用いて説明する。
＜実施の形態＞
＜構成＞
図１は、通信システムのシステム構成を示したシステム図である。
【００１１】
通信システムは、基地局１０１〜１０７と、レピータ２０１〜２０４と、無線端末３０１〜３０３と、ＡＳＮ−ＧＷサーバ４００とを含んで構成される。なお、ここに示した基地局や、レピータ、無線端末の台数は１例であり、実際には、数千台、数万台あってもよい。
各基地局１０１〜１０７は、ＡＳＮ−ＧＷサーバ４００を含むネットワークに接続されている。また、基地局１０１〜１０３は、ＭＣＢＣＳによるコンテンツの配信対象のゾーンであるＺｏｎｅ００１に属し、基地局１０４〜１０７は、Ｚｏｎｅ００２に属している。
【００１２】
レピータ２０１は、基地局１０２と同期を確立し通信している。レピータ２０２は、基地局１０３と同期を確立し通信している。レピータ２０３は、基地局１０４と同期を確立し通信している。レピータ２０４は、基地局１０５と同期を確立し通信している。
無線端末３０１は、基地局１０３と同期を確立し通信している。無線端末３０２は、レピータ２０２と同期を確立し通信している。無線端末３０３は、レピータ２０４と同期を確立し通信している。
【００１３】
また、図１に示すシステム図では、基地局１０１〜１０３は、Ｚｏｎｅ００１に属している。基地局１０４〜１０７は、Ｚｏｎｅ００２に属している。
なお、以下の説明では、基地局をＢＳ、レピータをＲＳ、無線端末をＭＳと記載することもある。また、基地局や、レピータ、無線端末は、従来からある基本的な機能を保持しているものとし、本実施例においては、発明の特徴部分を重点的に説明する。
【００１４】
図２は、基地局の機能構成を示した機能ブロック図である。各基地局は、同様の機能構成を備えており、ここでは基地局１０３を例に説明する。
図２は、基地局１０３の機能構成を示した機能ブロック図である。図２に示すように基地局１０３は、上位通信部１１０と、制御部１２０と、下位通信部１３０と、記憶部１４０とを含んで構成される。
【００１５】
上位通信部１１０は、ネットワークと接続しており、他の基地局と通信を実行する機能を有する。また、他の基地局から受信した自基地局に登録されている無線端末宛ての信号を下位通信部１３０に伝達する機能と、下位通信部１３０から伝達された信号をネットワークに出力する機能を有する。また、ネットワークを介して、ＡＳＮ−ＧＷサーバ４００からのＭＣＢＣＳによるコンテンツデータを受信する機能も有する。また、上位通信部１１０は、下位通信部１３０から、同期確立情報あるいは同期解除情報を受け取った場合に、同期確立情報あるいは同期解除情報をＡＳＮ−ＧＷサーバ４００に送信する機能も有する。
【００１６】
制御部１２０は、基地局１０３の各部を制御する機能を有する。
下位通信部１３０は、アンテナ１３１を含み、無線端末及びレピータと通信を実行する機能を有する。下位通信部１３０は、アンテナ１３１を介して、レピータ及び無線端末との同期を確立するために毎フレームごとにプリアンブル及びダウンリンク方向の通信に必要な周波数等の情報を含むＤＬ−ＭＡＰと、アップリンク方向の通信に必要な周波数等の情報を含むＵＬ−ＭＡＰとを含ませて発信している。また、下位通信部３１０は、上位通信部１１０から伝達された信号が、ＡＳＮ−ＧＷサーバ４００からのＭＣＢＣＳによるコンテンツデータであって、受信した信号が自局宛てのものであった場合に、自局と通信している無線端末に宛てて発信する。また、自局宛てのものでなかった場合であっても、自局と通信しているレピータには、ＭＣＢＣＳになるコンテンツデータを発信する。
【００１７】
さらに下位通信部１３０は、新たなレピータと同期を確立した場合には、当該レピータの情報を含んだ、新たな同期を確立したことを示す同期確立情報を上位通信部１１０に伝達する機能を有する。また、下位通信部１３０は、通信していたレピータとの同期が解除された場合に、当該レピータの情報を含んだ、同期を解除したことを示す同期解除情報を上位通信部１１０に伝達する機能も有する。
【００１８】
記憶部１４０は、基地局１０１が動作上必要とするプログラムやデータを記憶する機能を有し、ネイバーリスト１４１を記憶している。ネイバーリスト１４１は、基地局１０１が同期を確立している無線端末あるいはレピータが他の基地局にハンドオーバーを実行する際にハンドオーバー先の候補として参照する基地局ならびにレピータの情報を示す情報である。
【００１９】
以上が基地局１０１の説明である。
図３は、レピータの機能構成を示した機能ブロック図である。各レピータは、同様の機能構成を備えており、ここではレピータ２０２を例に説明する。
図３は、レピータ２０２の機能構成を示した機能ブロック図である。図３に示すように、レピータ２０２は、ドナー部２１０とリモート部２２０とを含んで構成される。ドナー部２１０は、基地局１０３と通信を実行する機能を有する。リモート部２２０は、無線端末３０１と通信を実行する機能を有する。ドナー部２１０とリモート部２２０とは同一のクロックが供給されて動作している。
【００２０】
ドナー部２１０は、第１通信部２１１と、起動制御部２１４とを含んで構成される。
第１通信部２１１は、アンテナ２１２と第１同期確立部２１３とを含んで構成される。第１通信部２１１は、アンテナ２１２を介して基地局と通信する機能を有する。第１通信部２１１は、アンテナ２１２を介して基地局から受信した信号をリモート部２２０に伝達する機能を有する。また、リモート部２２０から伝達された信号をアンテナ２１２を介して基地局に送信する機能を有する。また、第１通信部２１１は、基地局から受信した信号がＭＣＢＣＳによるコンテンツデータであって、自レピータのアドレスを指定する情報が含まれていた場合に、第２通信部２２１に伝達する機能を有する。受信した信号が、当該ＭＣＢＣＳによるコンテンツデータであって、自レピータのアドレスを指定する情報が含まれていなかった場合には受信した信号を破棄する。但し、別のレピータと通信している場合には、そのレピータにＭＣＢＣＳによるコンテンツデータを送信するために第２通信部２２１に伝達する。また、第１通信部２１１は、基地局との通信が実行しにくくなったとき、即ち通信におけるエラーの発生率が所定閾値より高くなった場合に、通信している基地局に対してハンドオーバーの実行を要求し、当該要求に対する許可信号を受けた場合にハンドオーバーを実行する機能を有する。
【００２１】
第１同期確立部２１３は、プリアンブルの参照信号を保持し、基地局との同期が確立していない状態において第１通信部で受信した信号の中から保持している参照信号と一致する信号を検出してプリアンブルを特定し、プリアンブルに後続するＭＡＰ情報（ダウンリンクの周波数帯域や、下りバーストの割当、アップリンクの周波数帯域や、上りバーストの割当等の情報を含む）に基づいて、基地局との同期を確立する機能を有する。
【００２２】
起動制御部２１４は、第１同期確立部２１３が基地局と同期を確立し、基地局からプリアンブルが到来するタイミングとその周期を自己の動作クロックにおけるタイミングと周期に換算し、そのタイミングと周期を第２同期確立部２２３に通知し、同期に必要なプリアンブルを含むフレームの発信を指示する。
リモート部２２０は、第２通信部２２１を含んで構成される。
【００２３】
第２通信部２２１は、アンテナ２２２と第２同期確立部２２３とを含んで構成される。第２通信部２２１は、アンテナ２２２を介して、リモート部に接続されている無線端末と通信を実行する機能を有する。第２通信部２２１は、第１通信部２１１から伝達された信号を、アンテナ２２２を介して指定される無線端末に送信する機能を有する。また、アンテナ２２２を介して受信した信号を第１通信部２１１に伝達する機能を有する。
【００２４】
第２同期確立部２２３は、起動制御部２１４から指示されたタイミングと同じタイミングでプリアンブルが発信されるように、第２通信部２２１が、各フレームごとに含ませるプリアンブルならびにＭＡＰ情報を生成し、生成された情報を含んだ信号を起動制御部２１４から通知されたタイミングで第２通信部２２１が発信する。当該プリアンブルならびにＭＡＰ情報が無線端末で受信されることにより、同期の諸手順が開始され、第２同期確立部２２３は、必要に応じて無線端末とネゴシエーションを行って同期を確立する。
【００２５】
以上がレピータ２０２の説明である。
図４は、無線端末の機能構成を示した機能ブロック図である。各無線端末は、同様の機能構成を備えており、ここでは無線端末３０１を例に説明する。
図４に示すように無線端末３０１は、通信部３１０と、表示部３２０と、音声処理部３３０と、操作部３４０と、記憶部３５０と、制御部３６０とを含んで構成される。
【００２６】
通信部３１０は、アンテナ３１１から受け取った受信信号を受話音声信号及び受信データ信号に復調し、復調した受話音声信号や、受信データ信号を制御部３６０に出力する機能を有する。また、通信部３１０は、音声処理部３３０でＡ／Ｄ変換された送話音声信号、及び制御部３６０から与えられる電子メールなどの送信データ信号を変調し、通信用アンテナ３１１から出力する機能を有する。また、通信部３１０は、基地局もしくはレピータからの信号を受信し、基地局もしくはレピータと同期を確立する機能を有する。
【００２７】
表示部３２０は、ＬＣＤ（Liquid Crystal Display）などによって実現されるディスプレイを含み、制御部３６０の指示による画像をディスプレイに表示する機能を有する。
音声処理部３３０は、通信部３１０から出力された受話音声信号をＤ／Ａ変換してスピーカ３３２に出力する機能と、マイク３３１から取得した送話音声信号をＡ／Ｄ変換し、変換された信号を制御部３６０に出力する機能を有する。
【００２８】
操作部３４０は、テンキー群、オンフックキー、オフフックキー、方向キー、決定キー、メールキー、サイドキーなどを含み、ユーザの操作を受け付け、受け付けた操作内容を制御部３６０に出力する機能を有する。
記憶部３５０は、ＲＯＭ（Read Only Memory）、ＲＡＭ（Random Access Memory）を含んで構成され、小型ハードディスクや不揮発性メモリなどによって実現される。記憶部３５０は、無線端末３０１の動作上必要な各種データやプログラムの他、音楽データや画像データなどを記憶する機能を有する。記憶部３５０は、同期を確立した基地局もしくはレピータから受信したネイバーリストを記憶している。ネイバーリストは、無線端末３０１がハンドオーバーを実行する際に、通信部３１０により参照される。
【００２９】
制御部３６０は、例えばＣＰＵ（Central Processing Unit）などにより実現され、無線端末３０１の各部を制御する機能を有する。制御部３６０は、通信部３１０が受信したＭＣＢＣＳによるコンテンツを受信した場合、当該コンテンツが音声データであった場合には、音声処理部３３０に当該音声データを出力させ、文字データあるいは画像データであった場合には、表示部３２０に表示させる。
【００３０】
図５は、ＡＳＮ−ＧＷサーバ４００の機能構成を示した機能ブロック図である。
図５に示すように、ＡＳＮ−ＧＷサーバ４００は、通信部４１０と、ＢＳＩＤ更新部４２０と、制御部４３０と、記憶部４４０とを含んで構成される。
通信部４１０は、ネットワークに接続されている基地局あるいはレピータと通信する機能を有する。通信部４１０は、制御部４３０の指示になる信号、例えば、ＭＣＢＣＳで配信するコンテンツを送信する有する。また、通信部４１０は、基地局から新たなレピータと同期を確立したことを示す同期確立情報を受信した場合に、当該同期確立情報をＢＳＩＤ更新部４２０に伝達する機能を有する。また、通信部４１０は、基地局からレピータとの同期を解除したことを示す同期解除情報を受信した場合に、当該同期解除情報をＢＳＩＤ更新部４２０に伝達する機能も有する。
【００３１】
ＢＳＩＤ更新部４２０は、記憶部４４０にあるＢＳＩＤリスト４４１を更新する機能を有する。具体的には、通信部４１０から同期確立情報が伝達された場合には、ＢＳＩＤリスト４４１の、当該同期確立情報を送信してきた基地局の属するゾーンに当該同期確立情報で示されるレピータの情報を、追加登録する。また、通信部４１０から同期解除情報が伝達された場合には、ＢＳＩＤリスト４４１の、当該同期解除情報を送信してきた基地局の属するゾーンから当該同期解除情報で示されるレピータの情報を、削除する。
【００３２】
制御部４３０は、ＡＳＮ−ＧＷサーバ４００の各部を制御する機能を有し、特に以下の機能を有する。制御部４３０は、ＭＣＢＣＳによるコンテンツを、当該コンテンツを送信すべき基地局及びレピータをそれぞれのアドレスで以って指定し、通信部４１０に送信させる機能を有する。
記憶部４４０は、ＡＳＮ−ＧＷサーバ４００が動作上必要とするプログラムやデータを保持する機能を有し、特にＢＳＩＤリスト４４１と、コンテンツ４４２と、コンテンツ配信表４４３とを記憶している。
【００３３】
ＢＳＩＤリスト４４１は、ゾーンと、ゾーンに属する基地局、レピータを対応付けた情報である。
コンテンツ４４２は、配信するコンテンツデータ群のことである。
コンテンツ配信表４４３は、どのゾーンにどのコンテンツを送信するかを定めた情報であり、ゾーンを示す情報とコンテンツを示す情報とを対応付けた情報である。
【００３４】
以上がＡＳＮ−ＧＷサーバ４００の各部の説明である。
＜データ＞
図６は、ＡＳＮ−ＧＷサーバ４００が保持するＢＳＩＤリスト４４１のデータ構成の一例を示すデータ概念図である。
図６に示すようにＢＳＩＤリスト４４１は、各ゾーンに対応して、基地局とレピータとが登録される構成をとる。
【００３５】
図６によれば、ＢＳＩＤリスト４４１では、Ｚｏｎｅ００１には、ＢＳ１０１と、ＢＳ１０２と、ＢＳ１０３と、ＲＳ２０１と、ＲＳ２０２とが対応付けられている。
また、Ｚｏｎｅ００２には、ＢＳ１０４と、ＢＳ１０５と、ＢＳ１０６と、ＢＳ１０７と、ＲＳ２０３と、ＲＳ２０４とが対応付けれている。
これにより、図１のシステム図で示すゾーンの設定が可能となり、ＢＳＩＤリスト４４１にレピータも登録されていることにより、レピータ配下の無線端末にもＭＣＢＣＳによるコンテンツが配信されるようになる。
【００３６】
ここでコンテンツ配信の仕組みを簡単に説明しておくと、ＡＳＮ−ＧＷサーバ４００は、ＭＣＢＣＳによるコンテンツそれぞれを、コンテンツデータのヘッダに当該コンテンツを配信すべきゾーンに対応する基地局とレピータのアドレスをヘッダに含ませてブロードキャストする。ブロードキャストされたコンテンツデータは、各基地局、レピータで受信され、ヘッダに含まれているアドレスが一致した場合に限り、各基地局及びレピータは同期を確立して通信している全ての無線端末に配信する。
【００３７】
図７は、ＡＳＮ−ＧＷサーバ４００が保持するコンテンツ配信表４４３のデータ構成の一例を示すデータ概念図である。
図７に示すようにコンテンツ配信表４４３は、ゾーンと、配信するコンテンツとを対応付けた構成をとる。
図７によれば、Ｚｏｎｅ００１には、コンテンツＡが、Ｚｏｎｅ００２には、コンテンツＢが配信されることになる。
＜動作＞
ここから、本実施の形態の動作を図８、９、１０に示すフローチャートを用いて説明する。
【００３８】
まず、図８を用いてコンテンツの配信について説明する。図８は、ＡＳＮ−ＧＷサーバ４００がコンテンツを配信する際の動作を示したフローチャートである。
ＡＳＮ−ＧＷサーバ４００は、例えばオペレータによりコンテンツの配信の実行を指示されたとする。
すると、制御部４３０は、記憶部４４０からＢＳＩＤリスト４４１を読み出す（ステップＳ８０１）。
【００３９】
また、制御部４３０は、記憶部４４０からコンテンツ配信表４４２を読み出す（ステップＳ８０２）。
そして、制御部４３０は、コンテンツ配信表４４２に記されている全てのゾーンそれぞれに対して以下のステップＳ８０３〜Ｓ８０５までの処理を実行する。
制御部４３０は、コンテンツ配信表４４２に記されているゾーンであって、まだコンテンツを配信していないゾーンに対応するコンテンツを記憶部４４０から取得する（ステップＳ８０３）。
【００４０】
ステップＳ８０３でコンテンツを配信することにしたゾーンについて、当該ゾーンに対応する基地局とレピータの情報をＢＳＩＤリスト４４１を参照して取得する（ステップＳ８０４）
そして、制御部４３０は、コンテンツと、当該コンテンツを配信する基地局とレピータのアドレスを通信部４１０に通知する。そして、通信部４１０は、通知されたアドレス宛てに、通知されたコンテンツを配信する（ステップＳ８０５）。
【００４１】
各基地局、レピータは、自身あての信号であるか否かを信号に含まれるアドレスで特定し、自身あての信号であった場合に、受信したコンテンツを、自身が通信している無線端末に対して配信し、無線端末のユーザは、ＭＳＢＣＳによるコンテンツを見聞きして情報を得る。これがＡＳＮ−ＧＷサーバ４００のＭＣＢＣＳによるコンテンツの配信の流れである。
【００４２】
ところで、レピータには、電車などに搭載されたりすることがある。この場合に、レピータは、ゾーンを跨いで移動することが考えられる。そうすると、今までのＢＳＩＤリスト４４１では、正しくコンテンツを配信することができなくなるため、ＢＳＩＤリスト４４１を更新する必要がある。
以下、図９を用いて、ＢＳＩＤリスト４４１の更新に係る通信システムの動作を説明し、その後に、ＡＳＮ−ＧＷサーバ４００におけるＢＳＩＤリスト４４１の更新に係る動作を図１０を用いて説明する。
【００４３】
図９は、通信システムのＢＳＩＤリスト４４１の更新に係る動作を示したタイミングチャートである。
図９に示すようにレピータ２０２は基地局１０３と同期を確立し、通信を実行している（ステップＳ９０１）。
ここで、レピータ２０２が、例えば電車に搭載されたレピータであったとして、移動しているものとする。すると、レピータ２０２は、基地局１０３との通信が実行しにくくなると基地局１０３に対してハンドオーバーを要求する（ステップＳ９０２）。
【００４４】
基地局１０３は、当該ハンドオーバーの要求に対してハンドオーバーを実行してもよいという許可をレピータ２０２に与える（ステップＳ９０３）。
ハンドオーバーの許可を受信すると、レピータ２０２は、自機で保持視してるネイバーリストを参照してハンドオーバーを実行する（ステップＳ９０４）。ここでは、基地局１０７にハンドオーバーしたとする。
【００４５】
レピータ２０２は、基地局１０７からのプリアンブル信号を受信し、所定の手順を踏んで基地局１０７との同期を確立する（ステップＳ９０５）。
基地局１０３は、レピータ２０２との同期が解除されたことを検知して、レピータ２０２がハンドオーバーを実行し、自局との同期が解除されたことを示す情報をＡＳＮ−ＧＷサーバ４００に通知する（ステップＳ９０６）。
【００４６】
一方、基地局１０７は、レピータ２０２との同期が確立すると、新たにレピータ２０２と同期を確立したことを示す情報をＡＳＮ−ＧＷサーバ４００に通知する（ステップＳ９０７）。
すると、ハンドオーバーの実行情報と、新たなレピータとの同期確立情報とを受けてＡＳＮ−ＧＷサーバ４００は、保持しているＢＳＩＤリスト４４１を更新する（ステップＳ９０８）。
【００４７】
では、ＡＳＮ−ＧＷサーバ４００において、ＢＳＩＤをどのように更新するのかについて、図１０に示すフローチャートを用いて説明する。
図１０に示すように、ＡＳＮ−ＧＷサーバ４００は、基地局から信号を受信した際に、当該信号が、基地局から新たなレピータとの同期を確立したことを示す同期確立情報であるか否かを判定する（ステップＳ１００１）。当該判定は、受信した信号における同期確立情報を示す識別子があるか否かにより判定する。
【００４８】
受信した信号が、同期確立情報であった場合には（ステップＳ１００１のＹＥＳ）、ＢＳＩＤ更新部は、同期確立情報を送信してきた基地局が属するゾーンに、同期確立情報に含まれる基地局が新たに同期を確立したレピータの情報を登録してＢＳＩＤリスト４４１を更新する（ステップＳ１００２）。
受信した信号が同期確立情報でなかった場合には（ステップＳ１００１のＮＯ）、通信部は、受信した信号が基地局が今まで通信を実行していたレピータとの同期を解除したことを示す同期解除情報であるか否かを判定する（ステップＳ１００３）。当該判定は、受信した信号における同期解除情報を示す識別子があるか否かにより判定する。
【００４９】
受信した信号が同期解除情報でなかった場合には、（ステップＳ１００３のＮＯ）、受信した信号は、同期確立情報、同期解除情報以外の信号であるので、受信した信号に従った処理を実行する。
受信した信号が同期解除情報であった場合には、（ステップＳ１００３のＹＥＳ）、ＢＳＩＤ更新部は、同期解除情報を送信してきた基地局が属するゾーンから、同期解除情報に含まれる同期が解除されたレピータの情報を削除してＢＳＩＤリスト４４１を更新する（ステップＳ１００４）。
【００５０】
以上が、ＢＳＩＤリスト４４１の更新の流れである。レピータがゾーンを移動する際には、必ずハンドオーバーが発生することになるので、これを利用してＢＳＩＤリスト４４１を更新する。
では、具体例を以ってＢＳＩＤリスト４４１の更新について説明する。
図１１は、図１に示したシステム図の状態から、レピータが例えば電車に搭載されているレピータであったとして、レピータ２０２が移動し、レピータ２０２が基地局１０７にハンドオーバーしたことを示すシステム図である。
【００５１】
図１１に示すように、レピータ２０２は、基地局１０７と同期を確立し、Ｚｏｎｅ００２に属することになる。
するとＡＳＮ−ＧＷサーバ４００は、図６に示すＢＳＩＤリスト４４１を図１２に示すＢＳＩＤリスト４４１に更新する。
図６と図１２を比較すればわかるように、図６において、Ｚｏｎｅ００１に対応付けられていたＲＳ２０２が、図１２では、Ｚｏｎｅ００１との対応付けが削除されている。また、図６においてＺｏｎｅ００２に対応付けられていなかったＲＳ２０２が、図１２では、Ｚｏｎｅ００２に対応付けられている。
【００５２】
図６から図１２への変化に示すようにＢＳＩＤリスト４４１が更新されることにより、レピータがハンドオーバーを実行したとしても、ＡＳＮ−ＧＷサーバ４００は、ＭＣＢＣＳによるコンテンツを適切に配信できる。
以上に説明してきたように、ＢＳＩＤリスト４４１にレピータの情報が含まれることにより、ＭＣＢＣＳによるコンテンツの配信をより細かくゾーンを指定して実行できるようになる。これにより、従来であれば、同じ基地局に属するレピータには同じコンテンツしか配信できなかったが、同じ基地局に属しているレピータをそれぞれ別のゾーンに属させて別々のコンテンツを配信することができるようにもなる。
【００５３】
また、レピータが移動するものであった場合には、ゾーンを移動することになるので、ＢＳＩＤリスト４４１を更新することにより、ゾーンを移動した場合であっても、ゾーンに適したコンテンツをレピータに配信することができる。
＜補足＞
上記実施形態において、本発明の実施の手法について説明してきたが、本発明の実施形態がこれに限られないことは勿論である。以下、上記実施形態以外に本発明の思想として含まれる各種の変形例について説明する。
（１）上記実施の形態では、ゾーンでは隣接しあう基地局やレピータにより構成されていたが、ゾーンはコンテンツを配信する基地局、レピータのグループを特定するためのものでしかなく、ゾーンは、同一のゾーンが飛び飛びに設定されてもよく、例えば図１のシステム図であれば、基地局１０２は、Ｚｏｎｅ００２に含まれていてもよい。
（２）上記実施の形態では、基地局やレピータは、１つのゾーンに属することとしたが、一時に２以上のゾーンに属することとしてもよい。但し、移動するレピータについては、その限りではない。
（３）上記実施の形態では、ＢＳＩＤリスト４４１の更新について、基地局とのハンドオーバーを契機に実行していたが、電車に搭載されるレピータなどの場合には、基本的には、電車の運行表などから、各ゾーンを通過する時間帯の予測がたつ。そこで、その各ゾーンを通過するタイミングを示す運行情報と、各タイミングにおいて使用するＢＳＩＤリスト４４１をＡＳＮ−ＧＷサーバ４００が保持する。そして、運行情報に従って使用するＢＳＩＤリスト４４１を切り替える構成にしてもよい。
（４）上記実施の形態では、ＡＳＮ−ＧＷサーバ４００は、コンテンツを配信する機能も保持していたが、ＡＳＮ−ＧＷサーバ４００は、ＢＳＩＤリスト４４１を管理するサーバであればよく、コンテンツを配信するサーバは別に存在する構成をとってもよい。つまりコンテンツを配信するコンテンツ配信サーバは、コンテンツを配信する際に、その配信すべきゾーンを特定するために、ＡＳＮ−ＧＷサーバ４００にアクセスして、ＢＳＩＤリスト４４１を取得し、取得したＢＳＩＤリスト４４１に従って、コンテンツ配信サーバが自身で保持しているコンテンツを配信することとしてもよい。
【００５４】
また、ＡＳＮ−ＧＷサーバ４００は、自サーバで保持するコンテンツだけでなく、例えば、オペレータにより、記録媒体などから入力されたコンテンツを受信して、当該コンテンツを配信することとしてもよい。
（５）上記実施の形態において、同期確立情報や、同期解除情報に含まれるレピータの情報について詳細には述べなかったが、ここでこれらの情報に含まれるレピータの情報とは、ＡＳＮ−ＧＷサーバ４００が一意にレピータを特定できる情報であり、レピータに固有のＩＤのことであり、基地局のＩＤと重複することもない情報である。
【００５５】
システムの仕様上、基地局とレピータのＩＤとが重複することがある場合には、このレピータの情報は、レピータのＩＤと、レピータのＩＤであることを示す情報が含まれる。
（６）上記実施の形態において、ＭＣＢＣＳによるコンテンツの配信の際には、ＡＳＮ−ＧＷサーバ４００からレピータまでトンネリングがなされてもよい。
（７）上述の実施形態で示した通信に係る動作、ＢＳＩＤリスト４４１の更新処理等（図１０参照）をレピータ等のプロセッサ、及びそのプロセッサに接続された各種回路に実行させるためのプログラムコードからなる制御プログラムを、記録媒体に記録すること、又は各種通信路等を介して流通させ頒布させることもできる。このような記録媒体には、ＩＣカード、ハードディスク、光ディスク、フレキシブルディスク、ＲＯＭ等がある。流通、頒布された制御プログラムはプロセッサに読み出され得るメモリ等に格納されることにより利用に供され、そのプロセッサがその制御プログラムを実行することにより、実施形態で示したような各種機能が実現されるようになる。
【産業上の利用可能性】
【００５６】
本発明に係る管理サーバは、ＷｉＭＡＸの通信規格に従って通信を実行しＭＣＢＣＳによるコンテンツを配信する際にコンテンツの配信先を管理する管理サーバとして活用することができる。
【図面の簡単な説明】
【００５７】
【図１】通信システムのシステム構成を示したシステム図である。
【図２】基地局の機能構成を示した機能ブロック図である。
【図３】レピータの機能構成を示した機能ブロック図である。
【図４】無線端末の機能構成を示した機能ブロック図である。
【図５】ＡＳＮ−ＧＷサーバの機能構成を示した機能ブロック図である。
【図６】ＢＳＩＤリスト４４１のデータ構成例を示したデータ概念図である。
【図７】コンテンツ配信表４４３のデータ構成例を示したデータ概念図である。
【図８】管理サーバがＢＳＩＤリスト４４１に基づいてＢＣＭＣＳによりコンテンツデータを配信する動作を示すフローチャートである。
【図９】ＢＳＩＤリスト４４１に更新における通信システムの動作を示したタイミングチャートである。
【図１０】管理サーバがＢＳＩＤリスト４４１を更新する動作を示すフローチャートである。
【図１１】レピータ２０２が移動後のシステム状態を示すシステム図である。
【図１２】更新後のＢＳＩＤリスト４４１である。
【図１３】従来におけるＢＣＭＣＳを説明するためのシステム図である。
【符号の説明】
【００５８】
１０１〜１０７  基地局
１１０  上位通信部
１２０  制御部
１３０  下位通信部
１３１  アンテナ
１４０  記憶部
１４１  ネイバーリスト
２０１〜２０４  レピータ
２１０  ドナー部
２１１  第１通信部
２１２  アンテナ
２１３  第１同期確立部
２１４  起動制御部
２２０  リモート部
２２１  第２通信部
２２２  アンテナ
２２３  第２同期確立部
３０１〜３０３  無線端末
３１０  通信部
３１１  アンテナ
３２０  表示部
３３０  音声処理部
３３１  マイク
３３２  スピーカ
３４０  操作部
３５０  記憶部
３５１  ネイバーリスト
３６０  制御部
４００  ＡＳＮ−ＧＷサーバ
４１０  通信部
４２０  ＢＳＩＤ更新部
４３０  制御部
４４０  記憶部
４４１  ＢＳＩＤリスト
４４２  コンテンツ
４４３  コンテンツ配信表
【図１】
2010056935.tif 000003
【図２】
2010056935.tif 000004
【図３】
2010056935.tif 000005
【図４】
2010056935.tif 000006
【図５】
2010056935.tif 000007
【図６】
2010056935.tif 000008
【図７】
2010056935.tif 000009
【図８】
2010056935.tif 000010
【図９】
2010056935.tif 000011
【図１０】
2010056935.tif 000012
【図１１】
2010056935.tif 000013
【図１２】
2010056935.tif 000014
【図１３】
2010056935.tif 000015